(57)【要約】【課題】  指で安定的に摘み持つことができるピンキャッチを提供することを目的としている。【解決手段】  この指掛かり縁５の下部に該５から内側に逃げ形成されるとともに、樹脂製キャッチ本体２がおかれた机などの置き部位から指掛かり縁５を離しおき且つ指掛かり縁５に引っ掛かった両指の食い入り部分が当り挟み支持する縁離し指当て凹支持部６を設けた構成となっている。【選択図】  図１
2005204991.tif 000002
【特許請求の範囲】
【請求項１】
主に半球体である弾性樹脂製部材や弾性ゴム製部材などからなる樹脂製キャッチ本体と、この樹脂製キャッチ本体に貫通されたピアスピンなどのピンを通すためのピン通し孔と、前記樹脂製キャッチ本体の下部側に形成された該樹脂製キャッチ本体を摘んだ指が掛かる指掛かり縁と、この指掛かり縁の下部に該指掛かり縁から内側に逃げ形成されるとともに、前記樹脂製キャッチ本体が置かれた置き面から該指掛かり縁を離しおき且つ該指掛かり縁に引っ掛かった両指の食い入り部分が当り挟み支持する縁離し指当て凹支持部とからなることを特徴とするピンキャッチ。
【請求項２】
主に半球体である弾性樹脂製部材や弾性ゴム製部材などからなる樹脂製キャッチ本体と、この樹脂製キャッチ本体に貫通されたピアスピンなどのピンを通すためのピン通し孔と、前記樹脂製キャッチ本体の下部を垂直に延長するように形成された該ピンキャッチ体を摘んだ指が当り抑えるストレート形態のストレート指当り抑え部と、このストレート指当り抑え部の下部に形成された、前記樹脂製キャッチ本体が置かれた置き面から該ストレート指当り抑え部を離しおくための該ストレート指当り抑え部と同径以下である指抑え部位離し部とからなることを特徴とするピンキャッチ。
【請求項３】
主に半球体である弾性樹脂製部材や弾性ゴム製部材などからなる樹脂製キャッチ本体と、この樹脂製キャッチ本体に貫通されたピアスピンなどのピンを通すためのピン通し孔と、前記樹脂製キャッチ本体の下部を垂直に延長するように形成された該ピンキャッチ体を摘んだ指が当り抑えるストレート形態のストレート指当り抑え部と、このストレート指当り抑え部の下部側に形成された前記樹脂製キャッチ本体を摘んだ指が掛かる指掛かり縁と、この指掛かり縁の下部に該指掛かり縁から内側に逃げ形成されるとともに、前記樹脂製キャッチ本体が置かれた置き面から該指掛かり縁を離しおき且つ該指掛かり縁に引っ掛かった両指の食い入り部分が当り挟み支持する縁離し指当て凹支持部とからなることを特徴とするピンキャッチ。
【請求項４】
ピアスピンなどのピンを弾性挟持する挟持部、この挟持部を下部から支持するベース部、このベース部に設けられた前記ピンを通すためのピン通し孔とからなる金属製部材などで形成された硬質材製挟持体を樹脂製キャッチ本体内に設けてなることを特徴とする請求項１、２、３いずれか記載のピンキャッチ。
【請求項５】
ピアスピンなどのピンを挟持するピン挟持部、このピン挟持部を下部から支持するベース部、このベース部に設けられた前記ピンを通すためのピン通し孔とからなる金属製部材などで形成された硬質材製挟持体と、掛け部材本体、この掛け部材本体の一方の側に形成された前記ピン挟持部等を挟み付けるような形態の第１の腕部、第２の腕部、この第１の腕部、第２の腕部に設けられた前記ピン挟持部の内側に掛かって前記掛け部材本体が該ピン挟持部から外れ抜けないようにする外れ止め部、前記硬質材製挟持体の外側に突出して鎖等の掛け部材を掛けるための掛け部とからなる掛け部材とからなり、前記ピン挟持部等への前記掛け部材の取り付けが、前記ピン挟持部等よりも幅広に形成された前記第１の腕部、第２の腕部を狭めるように抑え塑性変形させるカシメ取りつけによるとか、掛け部材全体がバネ付勢体であって前記第１の腕部、第２の腕部を広げて離すことによって戻り付勢力により前記ピン挟持部を挟持するあるいは前記外れ止め部が該ピン挟持部に掛かるとかの取り付けであることを特徴とするピンキャッチ。
【請求項６】
ピアスピンなどのピンを挟持するピン挟持部と、このピン挟持部を下部から支持するベース部と、このベース部に設けられた前記ピンを通すためのピン通し孔と、前記ベース部の一部を延長して形成した鎖などを掛けるための掛け穴などの掛け部位を有する掛け部とからなることを特徴とするピンキャッチ。
【請求項７】
主に半球体である弾性樹脂製部材や弾性ゴム製部材などからなる樹脂製キャッチ本体と、この樹脂製キャッチ本体に貫通されたピアスピンなどのピンを通すためのピン通し孔と、前記樹脂製キャッチ本体から突出するように該樹脂製キャッチ本体の一部を外側に突出延長させるように形成された鎖や飾り紐などの掛け部材を掛けたりピンに該樹脂製キャッチ体本体を提げ係止するための掛け部とからなることを特徴とするピンキャッチ。
【発明の詳細な説明】
【技術分野】
【０００１】
本発明は、主にピアスイヤリングなどのピンを通させて抜けないように挟持係止して、例えば耳朶にピアスイヤリングを装着保持するための、主に高さ略３ｍｍ〜８ｍｍ程度で略幅３ｍｍ〜８ｍｍ程度の主に半球体のピンキャッチに関する。
【背景技術】
【０００２】
（１）従来、実開平０１−１０３３０７に図１８に示す弾性樹脂部材で形成された半球形態の樹脂製キャッチ本体９６の下部に該９６の径より略半径の円柱形態の突出を金属製キャップ被った突出脚９８を設けた全体形態がキノコ型のピンキャッチ９５の技術が開示されている。また、実開平０１−１０３３０７の出願人が製造販売しているピンキャッチは図１８に示すように、高さ：４．０ｍｍ  幅：直径５．７ｍｍ  突出脚幅：直径３．７ｍｍ  突出脚高さ：１．０ｍｍ  キャッチ本体高さ３．０ｍｍである。
（２）ピンを挟持する挟持部を有する金属製のキャッチ部材のみからなるピンキャッチにおいて、挟持部位に螺旋金属線を潜らせリングを形成する部位で切断し且つ両端を蝋付けして金属リングからなる鎖等を掛ける掛け部を設けてなる技術や、金属製リング部材を挟持部に蝋付けしてなる掛け部付きピンキャッチが知られている。
【０００３】
前記従来技術のピンキャッチは以下に述べるような欠点があった。
（１）の従来技術。
テーブルなどの当接面において人差し指と親指で摘んだ場合は、図１８上図に示すように球体面のみをひとさし指と親指で摘むことしかできないものである。
このため、テーブルに置いた状態で軽く摘む分には何とか摘み持つことができるが、強く摘んで持とうとすると滑って摘めない、軽く摘み持った後に摘み力を強めると倒れてしまう、指が脂ぎっていると軽く摘み持とうとしても滑って摘めないなど、摘み難く摘み持った後のピン装着操作などでの摘み力の強め操作ができないなど、摘み操作に大変気を使わなければならない、慣れるまで時間が掛かる、滑り落として紛失させ易いなどの欠点があった。
これは、指での挟持部位が椀曲面で且つ強く挟持した状態が図１８の下図に示すように下部縁９７の２点線的支持であることによるもので、支持が不安定で容易に倒れてしまう、倒れないように挟持するのが難しくて使い勝手が悪いという欠点を有するものであった。
（２）の従来技術。
いずれも蝋付けするものであるので、蝋付けの際の加熱で金属製ピンキャッチも加熱されて鈍ってしまいピンを挟持する弾性挟持力が失せてしまう、加熱するものであるので合成樹脂で金属製ピンキャッチを被ったピンキャッチでは使えな方法であった。
【発明の開示】
【発明が解決しようとする課題】
【０００４】
本発明は以上のような従来技術の欠点に鑑み、指で安定的に摘み持つことができるピンキャッチを提供することを目的としている。
また本発明の他の目的は、蝋付けによらないで設けた鎖等を掛ける掛け部を有するピンキャッチを提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００６】
上記目的を達成するために本発明は、主に半球体である弾性樹脂製部材や弾性ゴム製部材などからなる樹脂製キャッチ本体と、この樹脂製キャッチ本体に貫通されたピアスピンなどのピンを通すためのピン通し孔と、前記樹脂製キャッチ本体の下部側に形成された該樹脂製キャッチ本体を摘んだ指が掛かる指掛かり縁と、この指掛かり縁の下部に該指掛かり縁から内側に逃げ形成されるとともに、前記樹脂製キャッチ本体が置かれた置き面から該指掛かり縁を離しおき且つ該指掛かり縁に引っ掛かった両指の食い入り部分が当り挟み支持する縁離し指当て凹支持部とでピンキャッチを構成している。
【０００７】
また本発明は、主に半球体である弾性樹脂製部材や弾性ゴム製部材などからなる樹脂製キャッチ本体と、この樹脂製キャッチ本体に貫通されたピアスピンなどのピンを通すためのピン通し孔と、前記樹脂製キャッチ本体の下部を垂直に延長するように形成された該ピンキャッチ体を摘んだ指が当り抑えるストレート形態のストレート指当り抑え部と、このストレート指当り抑え部の下部に形成された、前記樹脂製キャッチ本体が置かれた置き面から該ストレート指当り抑え部を離しおくための該ストレート指当り抑え部と同径以下である指抑え部位離し部とでピンキャッチを構成している。
【０００８】
また本発明は、ピアスピンなどのピンを挟持するピン挟持部、このピン挟持部を下部から支持するベース部、このベース部に設けられた前記ピンを通すためのピン通し孔とからなる金属製部材などで形成された硬質材製挟持体と、掛け部材本体、この掛け部材本体の一方の側に形成された前記ピン挟持部等を挟み付けるような形態の第１の腕部、第２の腕部、この第１の腕部、第２の腕部に設けられた前記ピン挟持部の内側に掛かって前記掛け部材本体が該ピン挟持部から外れ抜けないようにする外れ止め部、前記硬質材製挟持体の外側に突出して鎖等の掛け部材を掛けるための掛け部とからなる掛け部材とからなり、前記ピン挟持部等への前記掛け部材の取り付けが、前記ピン挟持部等よりも幅広に形成された前記第１の腕部、第２の腕部を狭めるように抑え塑性変形させるカシメ取りつけによるとか、掛け部材全体がバネ付勢体であって前記第１の腕部、第２の腕部を広げて離すことによって戻り付勢力により前記ピン挟持部を挟持するあるいは前記外れ止め部が該ピン挟持部に掛かるとかの蝋付けによらない取り付け方法であるピンキャッチを構成している。
【発明の効果】
【０００９】
以上の説明から明らかなように、本発明にあっては次に列挙する効果が得られる。
【００１０】
（１）請求項１記載の発明は、指掛かり縁に指が掛かり且つ両指の食い入り部分が縁離し指当て凹支持部を抑え挟み支持する４点支持を実現する構成であるので、テーブルに置いて軽く摘み持ち上げ後に強く摘んでも滑る、倒れるなどの不具合が生じ難く抜け落ち難い使い勝手のよいピンキャッチを実現するという効果を得ることができる。
【００１１】
（２）請求項２記載の発明は、半球面部下部にストレート摘み部およびこのストレート摘み部の下部に該ストレート摘み部と同径からそれ以下の径である置いた部位から前記ストレート摘み部を離しおくための離しおき部を形成した構造としたことにより、離しおき部によりストレート摘み部に摘んだ指が線ではない幅広当接する帯部位挟持となり、したがって摘み接触面積と摩擦が大きくなるので横滑り落ち現象や倒れ現象も起き難い、大変に安定した摘みと操作を可能にするという効果を得ることができる。
すなわち、テーブル上において軽く摘み持ち上げることも、強く摘み持ち上げることも、軽く摘み上げてから強く摘むこともできるもので、摘み力に気を使わずに操作できる取り扱いがし易いピンキャッチを実現するとう効果を得ることができる。また、指が脂ぎっていても確実に摘み持つことができるという効果を得ることができる。
【００１２】
（３）請求項３記載の発明は、請求項１記載の発明の構成に請求項２記載の発明の構成を加えたものであるので、テーブルに置いた状態で軽く摘み持つことも強く挟持摘み持つことも大変容易に確実に行うことができ且つ持ってから強く挟持しても倒れることがない上に指が指掛かり縁に掛かっているので、滑ることがなく極めて安定した挟持が得られるので大変使い勝手がよいという効果を得ることができる。
【００１３】
（４）請求項４記載の発明は、前記（１）、（２）あるいは（３）記載の発明と同様な効果を得ることができるとともに、金属製部材などで形成された硬質材製挟持体を樹脂製キャッチ本体内に設けてなるものであるので、硬質材製挟持体により摘んでも樹脂製キャッチ本体は殆ど潰れることなく形態を保持するものであるので、このような型崩れしない硬いピンキャッチにおいてこそ効果を発揮するものである。
また、硬質材製挟持体が光沢のある貴金属製部材で形成され樹脂製キャッチ本体が透明部材である場合には、透明球面体のレンズ効果により硬質材製挟持体および反射光が拡大され、看者に樹脂製ピンキャッチ越えた貴金属製ピンキャッチとしての質感美を強く与えるという機能を損なうことなく、摘み持ちやすさを実現するという効果を得ることができる。
【００１４】
（５）請求項５記載の発明は、ピン挟持部を有する硬質材製挟持体と、一方の先端側に外れ止め部を有する掛け部材を、前記ピン挟持部等へカシメ取り付けや戻り付勢力による取り付けにより取り付けてなるものであるので、蝋付けによらない取り付け方法を実現しており、金属製のピンキャッチの場合はその弾性力を損なうことがなく且つ硬質樹脂製のピンキャッチにも取り付けることができるという効果をえることができる。
また、金属製部材などで形成された硬質材製挟持体を樹脂製キャッチ本体内に設けたピンキャッチにおいても、樹脂製キャッチ本体に外れ止め部を突き刺し入れて取り付けることが容易にできるという効果を得ることができる。
【００１５】
（６）請求項６記載の発明は、ピアスピンなどのピンを挟持するピン挟持部と、このピン挟持部を下部から支持するベース部と、このベース部に設けられた前記ピンを通すためのピン通し孔と、前記ベース部の一部を延長して形成した鎖などを掛けるための掛け穴などの掛け部位を有する掛け部とからなる構成であるので、掛け部を後付する作業がなく製造コストを安価にできるという効果を得ることができる。
【００１６】
（７）請求項７記載の発明は、主に半球体である弾性樹脂製部材や弾性ゴム製部材などからなる樹脂製キャッチ本体と、この樹脂製キャッチ本体に貫通されたピアスピンなどのピンを通すためのピン通し孔と、前記樹脂製キャッチ本体から突出するように該樹脂製キャッチ本体の一部を外側に突出延長させるように形成された鎖や飾り紐などの掛け部材を掛けたりピンに該樹脂製キャッチ体本体を提げ係止するための掛け部とからなる構成であるので、製造コスト、材料コストを安価にできるという効果を得ることができる。
【発明を実施するための最良の形態】
【００１７】
以下、図面に示す発明を実施するための最良の形態により、本発明を詳細に説明する。
【００１８】
図１ないし図２に示す本発明を実施するための最良の第１の実施の形態において１はピンキャッチであって、このピンキャッチ１は半球体形態である透明シリコンゴム製部材からなる樹脂製キャッチ本体２と、該２の中に内設された金、銀、プラチナなどの光沢のある貴金属製部材からなる硬質材製挟持体３とからなっている。
樹脂製キャッチ本体２は、上下方向に貫通されたピアスピンなどのピンを通すためのピン通し孔４と、樹脂製キャッチ本体２の下部側に形成された樹脂製キャッチ本体２を摘んだ主にひとさし指と親指が掛かる指掛かり縁５と、この指掛かり縁５の下部に該５から内側に逃げ形成されるとともに、樹脂製キャッチ本体２がおかれた机などの置き部位から指掛かり縁５を離しおき且つ指掛かり縁５に引っ掛かった両指の食い入り部分が当り挟み支持する縁離し指当て凹支持部６とからなっている。
硬質材製挟持体３は、ピン通し孔４に通されるピアスピンなどのピンを弾性挟持する第１の湾曲挟持板７と第２の湾曲挟持板８とからなる挟持部９と、この挟持部９を下部から支持するベース部１０と、このベース部１０に設けられたピンを通すためのピン通し孔１１とからなっている。
ピンキャッチ１の寸法は次のようになっている。
全体の高さ                                      ：４．０ｍｍ
縁離し指当り凹支持部の高さ                      ：１．０ｍｍ
縁離し指当り凹支持部の直径                      ：４．７ｍｍ
半球体部分の高さ                                ：３．０ｍｍ
半球体部分の直径                                ：５．３ｍｍ
指掛かり縁から縁離し指当り凹支持部までの距離    ：０．３ｍｍ
【００１９】
図２の上図に示すようにテーブル上に置いた状態でひとさし指と親指で樹脂製キャッチ本体２の湾曲面１２を軽く摘み持ち上げ、その後図２の下図のように強めに摘み挟持して指に指掛かり部縁５を食い込ませ、該食い込ませることにより指の食い入り部分が縁離し指当て凹支持部６に当り抑えて該６を挟み支持する。
これにより抜け難く支持されるとともに、指掛かり部縁５の２点と縁離し指当て凹支持部６の２点支持の４点抑え支持を実現して、強い摘み力でも倒れない安定感を実現している。
請求項において「主に半球体である弾性樹脂製部材や弾性ゴム製部材などからなる樹脂製キャッチ本体と」しているのは、半球体に限らず半楕円球体、円錐体、多角錐体、円台形体、多角台形体などの指摘み操作に対して逃げテーパー形態のものをその技術範囲に全て含むものであることの意味である。
（発明を実施するための異なる形態）
【００２０】
次に、図３ないし図１７に示す本発明を実施するための異なる形態について説明する。なお、これら本発明を実施するための異なる形態の説明に当たって、本発明を実施するための最良の第１の実施の形態と同一構成部分には同一符号を付して重複する説明を省略する。
【００２１】
図３に示す本発明の最良の第２の実施の形態において前記本発明の最良の第１の実施の形態と主に異なる点は、樹脂製キャッチ本体２の下部に該２を下方に垂直に０．２ｍｍ延長した、摘んだ指が帯び面当りで抑える略ストレート形態のストレート指当り抑え部１５を設けて該１５の下部縁に指掛かり縁５を形成し、ストレート指当り抑え部１５の下部に縁離し指当て凹支持部６を形成してなるピンキャッチ１６を形成した点にある。
図１８に示す従来技術のピンキャッチ９５およびピンキャッチ１は、テーブル上に置いて強く摘むと滑ってしまいうまく摘むことができないことが多いのに対して、ピンキャッチ１６はテーブル上に置いて強く摘んでも滑ることなく確実に摘むことができる。
ピンキャッチ１６の寸法は次のようである。
全体の高さ                                      ：４．２ｍｍ
縁離し指当り凹支持部の高さ                      ：１．０ｍｍ
縁離し指当り凹支持部の直径                      ：４．７ｍｍ
半球体部分の高さ                                ：３．０ｍｍ
ストレート指当り抑え部                          ：０．２ｍｍ
半球体部分の直径                                ：５．３ｍｍ
指掛かり縁から縁離し指当り凹支持部までの距離    ：０．３ｍｍ
ピンキャッチ９５（従来技術）、ピンキャッチ１（本発明の第１の実施の形態）、ピンキャッチ１６（本発明の第２の実施の形態）の摘み確かさは次の表のようになる。
置き軽摘    置き強摘    軽摘み持後強摘
ピンキャッチ９５        ○          ×            ×
ピンキャッチ１          ○          ×            ○
ピンキャッチ１６        ○          ○            ○
○：摘み易い    ×：摘み難い・倒れる
ストレート指当り抑え部は０．１５ｍｍ〜０．５ｍｍ程度がよい。
【００２２】
図４に示す本発明の最良の第３の実施の形態において前記本発明の最良の第１の実施の形態と主に異なる点は、樹脂製キャッチ本体２の下部に該２を下方に垂直に延長した０．２５ｍｍ〜０．６ｍｍ程度の摘んだ指が当り抑えるストレート形態のストレート指当り抑え部１５を設け、このストレート指当り抑え部１５の下部に該１５を略垂直に１ｍｍ程度延長して形成されてなるストレート指当り抑え部１５を置いた部位から離しおくための、縁離し指当て凹支持部６に変えて指抑え部位離し部１８を設けたピンキャッチ１９を形成した点にある。
テーブル等に置いて指で軽くあるいは強めに摘むと図４上図のように指はストレート指当り抑え部１５に当り該部位を抑える形態となり、そのまま持ち上げると図４下図のように抑え潰されていた指は膨らみストレート指当り抑え部１５から指抑え部位離し部１８のストレート部位略全体を抑える形態となる。
このように、摘み、摘み上げ、少し強めの摘み挟持の動作をストレスなく円滑に行うことができるので、大変取り扱いが良い且つ中の金属製挟持体を拡大鏡効果により大きく主張する機能を損なわないという効果を得ることができる。
【００２３】
図５に示す本発明の最良の第４の実施の形態において前記本発明の最良の第１の実施の形態と主に異なる点は前記本発明の最良の第３の実施の形態において、指抑え部位離し部の構成を内側にテーパー逃げしてなる形態の指抑え部位離し部２１として指掛かり部５を形成してなるピンキャッチ２２を形成した点にある。
また、硬質材製挟持体をくの字形態の第１の挟持板２３、逆くの字形態の第２の挟持板２４からなる挟持部２５を有する硬質材製挟持体２６にした点にある。
テーブル等に置いて指で軽くあるいは強めに摘むと指はストレート指当り抑え部１５に当り該部位を抑える形態となり、そのまま持ち上げると図５のように抑え潰されていた指は膨らみ指掛かり部５を食い込ませる形態となる。
【００２４】
図６および図７に示す本発明の最良の第５の実施の形態において前記本発明の最良の第１の実施の形態と主に異なる点は、略Ｕ字形態のバネ製体からなる掛け部材本体２８と、この掛け部材本体２８を形成する第１の腕部２９、第２の腕部３０と、この第１の腕部２９、第２の腕部３０の開放端側に形成された第１の湾曲挟持板７あるいは第２の湾曲挟持板８の内側に掛かって掛け部材本体２８が第２の湾曲挟持板８から外れ抜けないようにするための先の尖った外れ止め部３１、３２と、硬質材製挟持体３およびの外側に突出して鎖等の掛け部材を掛けるための掛け部３３とからなる掛け部材３４を形成し、該３４の外れ止め部３１、３２を樹脂製キャッチ本体２に突き刺し且つ第２の湾曲挟持板８に掛かるように取り付けてなるピンキャッチ３５を形成した点にある。
掛け部材３４の取り付けは、掛け部材３４を道具で付勢力に逆らって強引に広げ、外れ止め部３１、３２を取り付ける部位に位置させて開き状態を開放し掛け部材３４の狭め戻り付勢力により、外れ止め部３１、３２を樹脂製キャッチ本体２に突き刺し且つ第２の湾曲挟持板８の内側にその先端が到達させている。
硬質材製挟持体３と掛け部材３４からなるピンキャッチも当然形成できる。
【００２５】
図８に示す本発明の最良の第６の実施の形態において前記本発明の最良の第１の実施の形態と主に異なる点は、外力により塑性変形させることができる頭部に鎖等を掛ける穴からなる掛け部３７を有し、一体である第１の腕部３９、第２の腕部４０とからなる貴金属製体からなる掛け部材本体３８と、第１の腕部３９、第２の腕部４０の開放端側に形成された第１の湾曲挟持板７あるいは第２の湾曲挟持板８の側部を填め込む填め込み部４１、４１を形成してなる二つの突き刺し部位からなる外れ止め部４２、４３とからなる掛け部材４４を形成し、該４４を外れ止め部４２、４３を樹脂製キャッチ本体２に突き刺し且つ第２の湾曲挟持板８を填め込み部４１、４１に掛かるあるいは填め込むように取り付けてなるピンキャッチ４５を形成した点にある。
掛け部材４４の取り付けは、外れ止め部４２、４３を取り付ける部位に位置させてペンチ等の道具で締め付けカシメ塑性変形させて樹脂製キャカシメッチ本体２に突き刺し取り付ける。
【００２６】
図９に示す本発明の最良の第７の実施の形態において４７は全ての構成部位を一枚の金製板から形成したピンキャッチであって、このピンキャッチ４７はピアスピンなどのピンを弾性挟持する第１の湾曲挟持板７と第２の湾曲挟持板８とからなる挟持部９と、この挟持部９を下部から支持するベース部１０と、このベース部１０に設けられたピンを通すためのピン通し孔１１（図では見えない）と、ベース部１０の一部を延長して形成した鎖などを掛けるための掛け穴４８を有する掛け部４９とからなっている。
【００２７】
図１０および図１１に示す本発明の最良の第８の実施の形態において５１はピンキャッチであって、このピンキャッチ５１はピンキャッチ４７からなる硬質材製挟持体５４を樹脂製キャッチ体２の内部に設けたものである。
図１１に実際の使用状態例を示しており、装飾品本体５２側に設けられた掛け部５３に鎖５５の端が掛けられ、ピン５６を通してなるピンキャッチ５１の掛け部４９の掛け穴４８に鎖５５のもう一方の端が掛け取り付けられている。
図のように実際の使用においては、掛け部２８を折上げて使用するのがよい。
装飾品本体５２と、鎖５５と、ピン５６と、ピンキャッチ５１とでピアスイヤリング５７を形成している。
鎖５５は装飾品の一部を担っており、他の部材やいろいろな飾りを付けたものなどでもよい。
【００２８】
図１２および図１３に示す本発明の最良の第９の実施の形態において前記本発明の最良の第８の実施の形態と主に異なる点は、硬質材製挟持体を掛け部４９と同形態の掛け部５９を設けてなる硬質材製挟持体６０としたピンキャッチ６１を形成した点にある。
製造方法について説明する。
（図１２のＡ）  硬質材製挟持体６０において、掛け部４９、５９の根元で折り上げわずかに外側に開いた状態で先方を樹脂製キャッチ本体２の球面部より少し外側で且つ該球面部を形成する金型の形成部位に当るような湾曲形態に形成しする。
（図１２のＢ）  硬質材製挟持体６０を金型にセットしてシリコンゴムを充填してピンキャッチ６１を形成する。
掛け部４９、５９は椀型金型（図示せず）に押されて該椀型金型の内壁に密着して弾性被い体３に埋没させられる。
（図１３のＣ）  掛け部４９、５９の両方あるいはいずれかを爪で掛け引き出し鎖等をつけて使用する。
掛け部４９、５９は使用しない場合はそのまま弾性被い体３に埋没密着させたままでよいこともいうまでもない。
このような構成とすることにより、貴金属製部分を外側側部に露出させた構成とでき、樹脂製キャッチという質感を軽減しより貴金属製ピンキャッチとしての質感を強めたものとできる。
【００２９】
図１４に示す本発明の最良の第１０の実施の形態において前記本発明の最良の第８の実施の形態と主に異なる点は、硬質材製挟持体を掛け部の構成を第２の湾曲挟持板８の側部にＵ字形態の掛け部６３を蝋付けしてなる硬質材製挟持体６４とし、掛け部６３を樹脂製キャッチ本体２の外に突出するようにしたピンキャッチ６５を形成した点にある。
掛け部６３の掛け部位６６の樹脂製キャッチ本体２への寄設は前記第９の実施の形態と同じ様にして行う。
蝋付けにより硬質材製挟持体６４が鈍ってしまって弾性挟持力がなくなっても、樹脂製キャッチ本体２の弾性力により十分な弾性挟持力を得ることができる。
【００３０】
図１５示す本発明の最良の第１１の実施の形態において前記本発明の最良の第８の実施の形態と主に異なる点は、硬質材製挟持体をベース部１０から該１０の一部を延長するようにして形成したＵ字形態の掛け部６８を設けてなる硬質材製挟持体６９としたピンキャッチ７０を形成した点にある。
掛け部６８の掛け部位７１の樹脂製キャッチ本体２への寄設は前記第９の実施の形態と同じ様にして行う。
【００３１】
図１６示す本発明の最良の第１２の実施の形態において７３はピンキャッチであって、このピンキャッチ７３はピンキャッチ１９の構成の樹脂製キャッチ本体２の下部を横に突出するように形成した掛け部位７４を有する掛け部７５を設けたものである。
【００３２】
図１７示す本発明の最良の第１３の実施の形態において７７はピンキャッチであって、このピンキャッチ７７はピンキャッチ１９の構成の樹脂製キャッチ本体２の下部を横の一部を延長するように形成したベルト部７８、該７８の先端にピン通し穴７９を形成してなる掛け部８０を設けたものである。
ピアスのピンをピン通し穴７９に通しておいて、ピンを耳のピアス穴に通してから樹脂製キャッチ本体２をピンにセットする。
【産業上の利用可能性】
【００３３】
本発明は主にピアスイヤリングなどを製造する産業で利用される。
【図面の簡単な説明】
【００３４】
【図１】本発明の最良の第１の実施の形態の斜視図。
【図２】本発明の最良の第１の実施の形態の摘み状態図。
【図３】本発明の最良の第２の実施の形態の摘み状態図。
【図４】本発明の最良の第３の実施の形態の摘み状態図。
【図５】本発明の最良の第４の実施の形態の摘み状態図。
【図６】本発明の最良の第５の実施の形態の平面図。
【図７】図６の側面図。
【図８】本発明の最良の第６の実施の形態の平面図。
【図９】本発明の最良の第７の実施の形態の斜視図。
【図１０】本発明の最良の第８の実施の形態の斜視図。
【図１１】本発明の最良の第８の実施の形態の取付斜視図。
【図１２】本発明の最良の第９の実施の形態の成型工程図。
【図１３】本発明の最良の第９の実施の形態の側面図。
【図１４】本発明の最良の第１０の実施の形態の成型工程図。
【図１５】本発明の最良の第１１の実施の形態の成型工程図。
【図１６】本発明の最良の第１２の実施の形態の斜視図。
【図１７】本発明の最良の第１３の実施の形態の平面図。
【図１８】従来技術の摘み状態図。
【符号の説明】
【００３５】
１：ピンキャッチ、                  ２：樹脂製キャッチ本体、
３：硬質材製挟持体、                ４：ピン通し孔、
５：指掛かり縁、                    ６：縁離し指当て凹支持部、
７：第１の湾曲挟持板、              ８：第２の湾曲挟持板、
９：挟持部、                      １０：ベース部、
１１：ピン通し孔、                １２：湾曲面、
１５：ストレート指当り抑え部、    １６：ピンキャッチ、
１８：指抑え部位離し部、          １９：ピンキャッチ、
２１：指抑え部位離し部、          ２２：ピンキャッチ、
２３：第１の挟持板、              ２４：第２の挟持板、
２５：挟持部、                    ２６：硬質材製挟持体、
２８：掛け部材本体、              ２９：第１の腕部、
３０：第２の腕部、                ３１：外れ止め部、
３２：外れ止め部、                ３３：掛け部、
３４：掛け部材、                  ３５：ピンキャッチ、
３７：掛け部、                    ３８：掛け部材本体、
３９：第１の腕部、                ４０：第２の腕部、
４１：填め込み部、                ４２：外れ止め、
４３：外れ止め、                  ４４：掛け部材、
４５：ピンキャッチ、              ４７：ピンキャッチ、
４８：掛け穴、                    ４９：掛け部、
５１：ピンキャッチ、              ５２：装飾品本体、
５３：掛け部、                    ５４：硬質材製挟持体、
５５：鎖、                        ５６：ピン、
５７：ピアスイヤリング、          ５９：掛け部、
６０：硬質材製挟持体、            ６１：ピンキャッチ、
６３：掛け部、                    ６４：硬質材製挟持体、
６５：ピンキャッチ、              ６６：掛け部位、
６８：掛け部、                    ６９：硬質材製挟持体、
７０：ピンキャッチ、              ７１：掛け部位、
７３：ピンキャッチ、              ７４：掛け部位、
７５：掛け部、                    ７７：ピンキャッチ、
７８：ベルト部、                  ７９：ピン通し穴、
８０：掛け部、                    ９５：ピンキャッチ、
９６：樹脂製キャッチ本体、        ９７：下部縁、
９８：突出脚。
【図１】
2005204991.tif 000003
【図２】
2005204991.tif 000004
【図３】
2005204991.tif 000005
【図４】
2005204991.tif 000006
【図５】
2005204991.tif 000007
【図６】
2005204991.tif 000008
【図７】
2005204991.tif 000009
【図８】
2005204991.tif 000010
【図９】
2005204991.tif 000011
【図１０】
2005204991.tif 000012
【図１１】
2005204991.tif 000013
【図１２】
2005204991.tif 000014
【図１３】
2005204991.tif 000015
【図１４】
2005204991.tif 000016
【図１５】
2005204991.tif 000017
【図１６】
2005204991.tif 000018
【図１７】
2005204991.tif 000019
【図１８】
2005204991.tif 000020